(57)【要約】      （修正有）【課題】外径の増大を抑制でき且つシリンジを安定に保持でき、薬剤の混合を自動的に行う２室式プレフィルドシリンジ用ホルダー及び該ホルダーにシリンジを装填してなる注射器を提供すること。【解決手段】バイパス溝の位置の外周面に突条が形成されている２室式プレフィルドシリンジを装填して薬剤成分の混合及び注射を行うためのホルダーであって、シリンジを少なくとも突条の後端まで挿入して収容することのできる概略筒状の前部本体８１であって、挿入に際して突条を通過させる縦方向のスロット８４を側壁に有するものである前部本体と、前部本体に収容された状態の該２室式プレフィルドシリンジをシリンジの端側から所定の深さまで挿入することができ前部本体の少なくとも後部を覆ってこれを固定するように構成された概略筒状の胴部を有する後部本体９０とを含んでなり、前部本体又は後部本体に指掛用の鍔部９２が形成されているものであるホルダー。【選択図】図１７
2007312804.tif 000002
【特許請求の範囲】
【請求項１】
前端及び筒状の側壁を有し、該側壁内に液密にスライド可能にはめ込まれた前側可動壁及び後側可動壁と、該前端と該前側可動壁との間において該側壁の内面に該前側可動壁の厚みを跨ぐ前後長のバイパス溝を備え、該バイパス溝の位置に対応して外周面に突条が形成されている２室式プレフィルドシリンジの、該前端と該前側可動壁との間に規定される前側スペース内に第１の薬剤成分を収容し、該前側可動壁と該後側可動壁との間に規定される後側スペース内に液状の第２の薬剤成分を収容したものを装填して、該２室式プレフィルドシリンジ内において第１の薬剤成分及び第２の薬剤成分の混合及び得られた注射液の注射を行うためのホルダーであって、
該２室式プレフィルドシリンジを少なくとも該突条の後端まで挿入して収容することのできる概略筒状の前部本体であって、挿入に際して該突条を通過させる縦方向のスロットを側壁に有するものである前部本体と、
該前部本体に収容された状態の該２室式プレフィルドシリンジを該２室式プレフィルドシリンジの後端側から所定の深さまで挿入することができ該前部本体の少なくとも後部を覆ってこれを固定するように構成された概略筒状の胴部を有する後部本体と、
を含んでなり、該前部本体又は該後部本体に指掛用の鍔部が形成されているものであるホルダー。
【請求項２】
該固定が、該前部本体と該後部本体との間の嵌合又は螺合によるものである、請求項１のホルダー。
【請求項３】
収容された該２室式プレフィルドシリンジの該突条の後端部に接するように該スロットの縁に該スロットの中心線へ向けて突起が設けられており、該突起が、該突条がスロットを通過するとき該突条に押されてスロット幅を僅かに押し広げることにより該突条を通過させることのできるものである、請求項１又は２のホルダー。
【請求項４】
該後部本体にピストンロッドが前後にスライド可能に挿入されており、第１のばねが、自然長から圧縮されたとき該ピストンロッドを前方へ付勢するよう、該ピストンロッドの先端と該後部本体の後端との間の領域に設けられており、該第１のばねが、該後部本体に挿入された該２室式プレフィルドシリンジの後側可動壁を、該後側スペース内の第２の薬剤成分が該バイパス溝を通って該前側スペースへと流入するまでピストンロッドを介して押し込むことができるものである、請求項１ないし３の何れかのホルダー。
【請求項５】
該第１のばねの先端が該ピストンロッドの先端部をその背後から押すものである請求項４のホルダー。
【請求項６】
該第１のばねが、該ピストンロッドを介して該後側可動壁を該前側可動壁に当接するまで押すものである、請求項４又は５のホルダー。
【請求項７】
該第１のばねが、該ピストンロッドを中に通して配置されたつる巻きばねである、請求項４ないし６の何れかのホルダー。
【請求項８】
該第１のばねの付勢力に抗して該ピストンロッドを解除可能に該後部本体の定位置に固定しておくストッパー手段を更に含むものである、請求項４ないし７の何れかのホルダー。
【請求項９】
第２のばねが、自然長より圧縮されたときピストンロッドを後方へと付勢するよう、該後部本体から後方へ突出した該ピストンロッドの後端と該後部本体との間の領域に設けられており、該第１のばねと該第２のばねとが、その前後方向への付勢力の均衡によりピストンロッドを定位置に保持できるものである、請求項４ないし６の何れかのホルダー。
【請求項１０】
該第２のばねが、該ピストンロッドを中に通して配置されたつる巻きばねである、請求項９のホルダー。
【請求項１１】
請求項１ないし１０のいずれかのホルダーとこれに装填された２室式プレフィルドシリンジとを含んでなる、注射器。
【発明の詳細な説明】
【技術分野】
【０００１】
本発明は、プレフィルドシリンジ用ホルダーに関し、より詳しくは、薬剤を前後２つの区画に分離して収容した２室式プレフィルドシリンジを装填して、それらの薬剤の混合による注射液の調製及びそれに続く注射を行うためのホルダー及び該ホルダーに２室式プレフィルドシリンジを装填した注射器に関する。
【背景技術】
【０００２】
成長ホルモン等の注射用ペプチド製剤では、安定性を保持するために、凍結乾燥等による乾燥薬剤成分と、これを溶解又は懸濁させて注射液とするための液状の薬剤成分（緩衝剤等の溶解液）とからなる、２剤形の形態で製剤が提供されている。また患者における扱いを簡便かつ確実にするために、例えばヒト成長ホルモン製剤の場合、１本のシリンジ（注射筒）内にそれらの成分を区分して別々に収容した２室式プレフィルドシリンジ（多室シリンダーアンプルともいう）が広く用いられている。
【０００３】
２室式プレフィルドシリンジは、例えば図１（図面左方向を上方とする）に側方断面図で示すように、内部がガスケットである２つの可動壁（前側可動壁２、後側可動壁３）で液密に仕切られて、前側スペース４と後側スペース５とが形成されている。前側スペース４の僅かに前方において２室シリンジの内壁には、前側可動壁２の厚みを跨ぐ長さの（すなわち、前側可動壁２の厚みより幾分長い）、前後方向の１本の細長いバイパス溝が、外周面の突条６の内側を通して設けられており、それにより、前側可動壁２の全体がバイパス溝の範囲内にあるときにはバイパス溝を通って前側可動壁の前後のスペースを連通する流路が形成されるようになっている。前側スペース４には、凍結乾燥粉末等の乾燥薬剤１０が封入されており、これを溶解させるための溶解液１１が後側スペース５に封入されている。２室シリンジ１の前端には、目的及び用途に応じて、例えば、図１に示すように両頭針１５が隔壁を刺入した状態で固定され、これに保護キャップ１６が被せられ、或いは、図２に示すように、シリンジ２１の先端のオスルアー２２にキャップ２３が被せられている。
【０００４】
２室式シリンジ内での乾燥薬剤１０と溶解液１１との混合及び注射は次のように行われる。すなわち、シリンジ先端側を上にして注射針が取り付けられた状態で、後側可動壁３が押し込まれ、これにつれて前側可動壁２も押し込まれる。前側可動壁２の後縁からバイパス溝の後部が露出したときバイパス６を通る流路が前側スペース４と後側スペース５の間に形成され、これを通って後側スペース５内の溶解液１１が前側スペース４内へと送られ始め、前側可動壁はその位置に止まる。後側可動壁３が前側可動壁２に当接することにより、後側スペース５中の溶解液１１は全て前側スペース４内に移され、そこで薬剤１０と混合してこれを溶解させ、注射液を構成する。その後は、後側可動壁３と前側可動壁２とが一体で押されるため、通常の１室式のシリンジと同様に操作される。
【０００５】
製造工程において、２室式プレフィルドシリンジ内の乾燥粉末は、薬剤成分の溶液を当該シリンジ内で凍結乾燥することにより調製される。この凍結乾燥はバッチ式で行われるが、シリンジの径が小さい程一度に処理できるシリンジ本数が増えるため、製造効率を高めることを優先する場合、シリンジは注射の際に指をかけるための鍔を省略して円筒形状に作製される。その結果、注射に際してはシリンジを保持して操作するための、指掛け用の鍔つきのホルダーが必要となる。シリンジにはバイパス溝の設けられた位置に対応して外周面に突条が形成されているが、ホルダーの胴部は従来、この突条を前後に通過させるための縦溝を有し、シリンジの全周を被う筒状の前部本体の後部に、筒状の後部本体の前部を被せる形に作られている。従って、ホルダーの胴部の全体としての外径は、突条の先端を被う前部本体を更に後部本体で覆うことになるため、両者の肉厚が加わりってシリンジの胴部外径に比してかなり大きなものとなる。しかしながら注射の際には、ホルダーの胴部外径が余り大きいと操作性に劣り、この点改善の余地があった。また、前部本体に挿入しただけのシリンジは前部本体に固定されていないため、不用意に前部本体の先端側を高くするとシリンジが滑り落ちるという問題もあった。
【０００６】
また、成長ホルモンのようなペプチドホルモン製剤の場合、長期間にわたる日常的な少量ずつの反復投与が必要である。この投与は、患者自身又はその家族（以下、あわせて「患者等」という。）によって自宅でなされ、患者等は、溶解前の薬剤を収容した数本の２室式プレフィルドシリンジ及びこれを装填するためのホルダー（例えば、特許文献１参照）を受け取って、自らシリンジ内の薬剤の混合・溶解の操作を行う。
【０００７】
２室式プレフィルドシリンジを用いた患者等の自宅での薬剤混合操作において、後側可動壁を無理やり急激に押し込むと、前後の可動壁２、３の連携が十分に行われず溶解液の後方への液漏れが起こる場合のあることが、本発明者によって見出されている。同様の問題は、緊急時に使用される種々の注射剤について２室式プレフィルドシリンジを使用した場合にも、一刻を争うという状況のため、起こり得る。
【０００８】
このような後方への液漏れは、狭い流路を形成するバイパスを通じた溶解液の前方への送りが間に合わず、前側可動壁２と後側可動壁３との間に溶解液を残したまま前側可動壁２がバイパス溝よりも前方へ押し出されてしまうことにより起こる。すなわち、状態でピストンロッドが更に押し込まれたとき、後側可動壁３及び前側可動壁２は、それらの間に溶解液を閉じ込めたまま前進し、後側可動壁３がバイパスの長さの範囲に入ったときに、溶解液がバイパスを通って後方へ漏れ出すものである。
【０００９】
上記のような液漏れが発生している場合には、薬剤が適正に混合できておらず、射出可能な液量も薬剤成分の濃度も共に、所定の規格とは異なっており、２室式プレフィルドシリンジはもはや注射に適さない。ホルダーとの取り扱いに患者等が慣れてくると、ホルダーのこのような大雑把な取り扱いが却って起こり易くなり、使用上の注意喚起のみによってこのようなトラブルを根絶することは困難であった。
【００１０】
従って、ホルダーは、２室式プレフィルドシリンジ内の薬剤の混合がホルダー自体の機能により適切に行われることを保証するものであることが望ましい。またそのようなホルダーは、製造コストを、従って医療コストを抑制できるよう、構造を複雑にせずに目的を達成できるものであるのが一層望ましい。
【００１１】
更には、２室式プレフィルドシリンジは、緊急時における組立及び溶解の手間を簡略化して即時対応を容易にするために、予めホルダーにシリンジを薬剤の溶解前の状態のままで組み込んで準備しておくことができ、使用する時にはホルダー自身の機能により直ちに薬剤の混合が適切に行われることを保証するものであることが好ましい。
【００１２】
一方、２室式プレフィルドシリンジ内での薬剤の溶解に、ネジ機構を用いてピストンロッドを押し込むものが知られている（特許文献２参照）。しかしながら、薬剤溶解時のピストンロッドの押し込みを手でネジを回して行うようにするのは、取り扱いが複雑であり、溶解操作に要する時間も長くなるため極めて不便であり、緊急時や、様々な患者の存在（自家注射の場合）を想定すると、好ましくない。
【００１３】
また、２部分カプセル内の成分の混合及び注射をばねで行う注射装置が報告されている（特許文献３参照）。この注射装置は、装填した２部分カプセル後端に位置するプランジャーを装置内のばねで前方へ移動させて成分を混合し、次いで引き金を引きカプセルの固定を開放してばねにより前方に付勢し、それによりカプセルの前端部に位置する薄膜に両頭針を貫通させるとともに針を装置から突出させて注射液を噴出させるものである。しかしながらこの装置では、カプセル内の成分の混合の後にエア抜きの操作を行うことができない。従って、このような装置は実際には使用不能である。
【００１４】
２室式プレフィルドシリンジの後側可動壁を漸進させるばねを備えた注射器が知られている（特許文献４参照）。これによれば、シリンジを保持した本体の前半部分を後半部分に奥まで押し込んだとき、ロックが解除されて筒状のプランジャーが後方からばねで押し出され、それによる後側可動壁の前進により薬剤が混合される。混合後はインジェクターロッドを押し込むことで注射することができる。この装置によれば２室式プレフィルドシリンジ内の薬剤の混合が急激に行われるおそれは防止できるもものの、装置が複雑で部品点数が多く、しかも胴部の外径がシリンジに比して非常に大きくなり、操作性が極めて悪いという問題がある。
【特許文献１】特開平１１−２６７２０５号公報
【特許文献２】特公平６−６１３６１号公報
【特許文献３】特表平２０００−５１２５２３号公報
【特許文献４】米国特許第６７９３６４６号公報
【発明の開示】
【発明が解決しようとする課題】
【００１５】
上記背景において、本発明の一目的は、円筒状の２室式プレフィルドシリンジのためのホルダーであって、シリンジに比したその胴部の外径の増大を抑制でき且つシリンジを安定に保持できる簡便な構造のホルダー及び該ホルダーにシリンジを装填してなる注射器を提供することである。
本発明の更なる一目的は、２室式プレフィルドシリンジのための上記ホルダーであって、更にホルダー自身の機能によって薬剤の混合を適正に行わせることができるものであるホルダー及び該ホルダーにシリンジを装填してなる注射器を提供することである。
本発明の尚も更なる一目的は、自身の機能によって薬剤の混合を適正に行わせることができる上記ホルダーであって、且つ予めホルダーに２室式プレフィルドシリンジを薬剤の溶解前の状態のままで組み込んで準備しておくことができ、簡単な操作でホルダー自身に自動的に薬剤の混合を行わせることのできる簡便な構造ホルダー及び該ホルダーにシリンジを装てんしてなる注射器を提供することである。
【課題を解決するための手段】
【００１６】
上記目的のために検討の結果、本発明者は、ホルダーの前部本体の側壁にスロットを設け、２室式プレフィルドシリンジのバイパス溝の部分に対応した外周面の突条をこれに通すようにすることにより、ホルダー全体の外径の増大を抑制することができること、及び装填されたシリンジの突条の後端に接する位置においてスロットの対向する縁にスロット幅を僅かに狭める突起を設けておけば、シリンジの挿入時に突条がスロット幅を僅かに押し広げながら突起を通過させることができ、通過後は元に戻るため、注射器の組み立てる際におけるシリンジの後方への抜け落ちを確実に防止できることも見出した。更に、前方へばね付勢されるピストンロッドをホルダーの後部本体に備えておくことにより、ホルダーの前部本体に保持されたシリンジにホルダーの後部本体を被せたときに、圧縮されるばねの反発力によりシリンジの後側可動壁が前方へ押されることで、常に所定範囲の力で所定距離だけ後側可動壁を押し込むことができることを見出した。また、ばねを圧縮した状態で保持しておくことができ且つ使用者が簡単に解除できるストッパー手段を後部本体とピストンロッドとの間に形成しておけば、ばねを圧縮した状態のままでシリンジをホルダーに装填しておくことができ、緊急時の即時対応に便利となることをも見出した。すなわち、本発明は、以下を提供するものである。
【００１７】
１．前端及び筒状の側壁を有し、該側壁内に液密にスライド可能にはめ込まれた前側可動壁及び後側可動壁と、該前端と該前側可動壁との間において該側壁の内面に該前側可動壁の厚みを跨ぐ前後長のバイパス溝を備え、該バイパス溝の位置に対応して外周面に突条が形成されている２室式プレフィルドシリンジの、該前端と該前側可動壁との間に規定される前側スペース内に第１の薬剤成分を収容し、該前側可動壁と該後側可動壁との間に規定される後側スペース内に液状の第２の薬剤成分を収容したものを装填して、該２室式プレフィルドシリンジ内において第１の薬剤成分及び第２の薬剤成分の混合及び得られた注射液の注射を行うためのホルダーであって、
該２室式プレフィルドシリンジを少なくとも該突条の後端まで挿入して収容することのできる概略筒状の前部本体であって、挿入に際して該突条を通過させる縦方向のスロットを側壁に有するものである前部本体と、
該前部本体に収容された状態の該２室式プレフィルドシリンジを該２室式プレフィルドシリンジの後端側から所定の深さまで挿入することができ該前部本体の少なくとも後部を覆ってこれを固定するように構成された概略筒状の胴部を有する後部本体と、
を含んでなり、該前部本体又は該後部本体に指掛用の鍔部が形成されているものであるホルダー。
２．該固定が、該前部本体と該後部本体との間の嵌合又は螺合によるものである、上記１のホルダー。
３．収容された該２室式プレフィルドシリンジの該突条の後端部に接するように該スロットの縁に該スロットの中心線へ向けて突起が設けられており、該突起が、該突条がスロットを通過するとき該突条に押されてスロット幅を僅かに押し広げることにより該突条を通過させることのできるものである、上記１又は２のホルダー。
４．該後部本体にピストンロッドが前後にスライド可能に挿入されており、第１のばねが、自然長から圧縮されたとき該ピストンロッドを前方へ付勢するよう、該ピストンロッドの先端と該後部本体の後端との間の領域に設けられており、該第１のばねが、該後部本体に挿入された該２室式プレフィルドシリンジの後側可動壁を、該後側スペース内の第２の薬剤成分が該バイパス溝を通って該前側スペースへと流入するまでピストンロッドを介して押し込むことができるものである、上記１ないし３の何れかのホルダー。
５．該第１のばねの先端が該ピストンロッドの先端部をその背後から押すものである上記４のホルダー。
６．該第１のばねが、該ピストンロッドを介して該後側可動壁を該前側可動壁に当接するまで押すものである、上記４又は５のホルダー。
７．該第１のばねが、該ピストンロッドを中に通して配置されたつる巻きばねである、上記４ないし６の何れかのホルダー。
８．該第１のばねの付勢力に抗して該ピストンロッドを解除可能に該後部本体の定位置に固定しておくストッパー手段を更に含むものである、上記４ないし７の何れかのホルダー。
９．第２のばねが、自然長より圧縮されたときピストンロッドを後方へと付勢するよう、該後部本体から後方へ突出した該ピストンロッドの後端と該後部本体との間の領域に設けられており、該第１のばねと該第２のばねとが、その前後方向への付勢力の均衡によりピストンロッドを定位置に保持できるものである、上記４ないし６の何れかのホルダー。
１０．該第２のばねが、該ピストンロッドを中に通して配置されたつる巻きばねである、上記９のホルダー。
１１．上記１ないし１０の何れかのホルダーとこれに装填された２室式プレフィルドシリンジとを含んでなる、注射器。
【発明の効果】
【００１８】
上記構成になる本発明は、装填される２室式プレフィルドシリンジに比してホルダーの胴部により外径が増大するのを抑制して、操作性のよい簡便なホルダー及び注射器を提供することができる。また、第１のばねを有するものは、更に、シリンジ内の薬剤を混合・溶解に際し急激にピストンが押されるのを防止して注射液の適正な調製を保証することができる。また、ピストンロッドのためのストッパー手段を更に含むものは、予めホルダーにシリンジを薬剤の溶解前の状態のままで組み込んで準備しておき必要時にストッパーを解除するだけで直ちに薬剤を混合でき、速やかに注射を行うことができるため、緊急時における即時対応を容易にすることができる。また、第１のばねに加えて第２のばねを有するものは、組立て前のホルダーのピストンが（ストッパー手段を備えるものではそれが解除されていても）、それら２つのばねにより所定位置に保持されるため、操作する者にとって扱い易いばかりでなく、圧縮された第１のばねがピストンロッドを前方へ押し込みつつ自然長に戻る直前に第２のばねの後方への付勢力が作用し始めるようにすることができることから、ホルダーによるシリンジ内の薬剤の自動的な混合・溶解に際して、押し込むべきピストンロッドの深さの調節が極めて容易となるという利点がある。
【発明を実施するための最良の形態】
【００１９】
本発明のホルダーに装填して注射に用いられる縦方向のバイパス溝に対応する突条を外周面に有する２室式プレフィルドシリンジは周知のものであり、複数の製品が販売されているから、それらのうち、混合し調製すべき注射液の量に応じた適当なサイズ及びタイプのものを選択して使用し、ホルダーの各寸法は、それらに適合するように設定すればよい。
【００２０】
本発明においてホルダーの前部本体の形態は、２室式プレフィルドシリンジのバイパス溝に対応して外周に形成されている突条を側壁に形成されたスロット内に収容した状態で、シリンジを被って保持できるものである限り、特に制限はない。その肉厚はシリンジの外周面からの突条の高さに実質的に等しくしておくことが特に好ましい。スロットから突条が実質的に突出していない限りホルダーの後部本体を被せる上で支障がなく、前部本体に余分な肉厚がない方がホルダー全体としての胴部の外径を小さくできるからである。また注射時に指を掛けるための鍔部は、前部本体に形成されていてもよく、後部本体に形成されていてもよい。鍔部は、これに指を掛けて注射器を操作するのに便利なものである限りその形状に限定はなく、例えば、ホルダーの胴部を巡って円形又は楕円形その他の長円形に突出した板状部であってよく、また胴部の左右に突出した棒状の部分であってもよい。
【００２１】
前部本体が有するスロットは、装填される２室式プレフィルドシリンジのバイパス溝の部位にある外周面の突条を収容できるものであればよいが、、シリンジが前部本体内で回転できないよう、突条の両側に接してこれを挟むことができる幅のものとするのが更に好ましい。必須ではないが、前部本体にシリンジが収容されたとき、シリンジが前部本体から自然に脱落することがないよう、突条の後端部に接するようにスロットの縁にスロットの中心線へ向けて突起を設けておくことが好ましい。スロットの中心線方向へ向かうこの突起の高さは、突起を乗り越えてシリンジが挿入されるときスロットの幅が僅かに押し広げられるようなものとしておくのが好ましい。それにより、前部本体にシリンジが無理なく挿入できる一方、自然に脱落することも防ぐことができるからである。そのような突起の形状は任意であるが、例えば、シリンジの挿入の容易さを増すために突起の後端側を傾斜面とする一方、シリンジの偶発的な脱落は確実に阻止するために突起の前端側は傾斜面とせず垂直に立ち上がるものとしてもよい。
【００２２】
ホルダーの後部本体の形態は、前部本体に収容された状態の２室式プレフィルドシリンジをその後端側から所定の深さまで挿入し、前部本体の少なくとも後部を覆って後部本体に固定でき、後部にピストンロッドが前後にスライド可能に取り付けられるものであれば、その具体的形態は特に限定されない。後部本体がピストンロッドを付勢するためのばねを備えない場合には、ピストンロッドはホルダーとは別体であってよく、ばねを備える場合には、ピストンロッドはホルダーの一部としてこれに組み込まれた状態で備えられる。注射時に指を掛けるための上記した鍔部を、前部本体に設ける代わりに後部本体に設けてもよい。
【００２３】
前部本体と後部本体とを固定するための手段は、偶発的に外れることのない確実な固定ができる限り任意であり、両者の具体的構造に適しするよう、周知の固定手段から適宜選んで採用すればよい。例えばそのような手段として、前部本体の後部と後部本体の前部とが相互にかみ合うようにそれぞれの対応する位置に設けられた、突起と窪み若しくは段差面との組み合わせによる嵌着や、両者の螺着が挙げられる。これらのうち螺着によるのが、操作が簡単であり固定の確実性も高いため、特に好ましい。
【００２４】
後側可動壁を後方から押して前進させるための、後部本体に前後に可動に配置されたピストンロッドは、後部本体の後方から前方へと押すことのできるものである限り、その具体的形態は適宜であってよい。ピストンロッドは、ホルダーの後部本体と別体の場合、２室式プレフィルドシリンダの後部可動壁が通常有するねじ穴に螺着できるように、先端に対応する雄ねじを形成した短いボルトを設けておけばよい。
【００２５】
ピストンロッドに関して設けられた第１のばねは、好ましくは、後部本体内においてピストンロッドの周りに備えられたつる巻きばねである。この場合、つる巻きばねの後端は、例えば、ピストンロッドの周囲において後部本体の内面の適宜な部位で支持されるようにしておけばよい。また、ピストンロッドには、一部（例えば頭部付近）に、つる巻きばねの先端の内径よりも突出した突起を設けておくか、又は、ピストンロッドの頭部をつる巻きばねの内径より大径としておくことによって、つる巻きばねとピストンロッドとの間でのピストンを前進させる方向への力の伝達を行わせることができる。
【００２６】
第１のばねの強さ及び長さは、前部本体に装填された２室式プレフィルドシリンジの後側可動壁を、前方へと、前側可動壁に当接させるか又は少なくとも溶解液の大半（例えば７５％以上）をバイパス溝を通って前側スペースへ流入させることとなるまでピストンロッドを押すことができるように設定しておけばよい。差し込まれる２室式プレフィルドシリンジにおいて、後側可動壁が前側可動壁に当接することとなる位置又は収容される溶解液の大半を前側スペースに流入させることとなる位置、及び当該に後側可動壁を到達させるに必要な力の強さから、第１のばねの適切な長さ及び適切な強さは当業者に極めて容易に算出できる。また、バイパス溝によって前側スペースと後側スペースが連通した状態では、ばねは後側可動壁のみを２室シリンジ内面との摩擦力に抗して前進させればよいが、後側可動壁が前側可動壁に当接した後は、後側可動壁の前進には各可動壁と２室シリンジ内面との摩擦力の合力がばねの復元力に対抗する。従って、その位置で両可動壁を前進させない程度の強さにばねを設定しておけば、第１のばねによって溶解液の全てを前側スペースに送り込んだ段階で後側可動壁の前進を止めることができる。また第１のばねをそのような強さより僅かに弱くしておけば、後側可動壁が前側可動壁に当接はしないが大半の溶解液を前側スペースに送り込んだ段階で後側可動壁の前進を止めることができる。続く操作はシリンジ先端部からのエア抜きを含むが、この操作では注射液の無駄な噴出を避けるため如何なる場合も手加減して緩やかにピストンが押されることから、後側可動壁が前側可動壁にまだ密着しておらず狭まった後側スペース内に溶解液の一部が残っていても、バイパスを通って前側スペース内へ静かに送られるため、混合ミスが起こる心配はない。
【００２７】
ホルダーの後側本体が第１のばねを有する場合には、これに加えて第２のばねを設けておくことができる。設ける場合、第２のばねは、ピストンロッドが後側可動壁を第１のばねによって押し込もうとする目標位置に達したあと、当該位置を超えて前方へとピストンが押されたとき、ピストンロッドを当該位置に戻すよう後方へ付勢するものであり、それ以上にピストンを後退させるように後方へ付勢するものではない。従って第２のばねは、ピストンロッドが上記位置に達したときに初めて圧縮され始めるよう、且つ、それ以前には圧縮も引張もされない自由長であるような長さ及び取り付け方法で、後部本体に設けておけばよい。このように第２のばねを設けておけば、第１のばねと協力して組立て前のホルダーのピストンが所定位置に保持されるほか、第１のばねがピストンロッドを前方へ押しつつ自然長に復帰しつつあるときに第２のばねの後方への付勢力が作用し始めるようにすることができることから、第２のばねをブレーキとして作用させることができ、２つのばねの作用によって後側可動壁を到達させるべき位置の調節が極めて容易となる。該２のばねとピストンロッドとが力を及ぼし合うためには、例えば、第２のばねの後端がピストンロッドの適宜の部位に当接するよう、その部位から後方のピストンロッドの外周を第２のばねの内径より大きくしておくか、又はその部位に第２のばねの内径よりも大きな外径の環状突起若しくはそのような高さまで突出した複数の突起を設けておけばよい。第２のばねの前端は、後部本体の適宜の部位で支持すればよく、例えば、後部本体の後部の、ピストンロッドが貫通する穴の周囲であってよい。
【００２８】
該第１のばねの付勢力に抗して該ピストンロッドを解除可能に該後部本体の定位置に固定しておくストッパー手段は、ホルダーが第１のばねのみを有する場合にも、第２のばねを合わせて有する場合にも、共に設けることができる。ストッパー手段は、ピストンロッドの前進を阻止して第１のばね圧縮状態に止めておき、その間ホルダー内の２室式プレフィルドシリンジ内で薬剤が混合されるのを防止するためのものであるから、この目的に適う限り、適宜の構成であってよい。例えば、ピストンの先端付近に雄ねじを形成すると共に、これに対応する雌ねじをホルダーの後部本体のピストン貫通穴に形成しておき、ピストンの後退位置で両者を螺合させるようにしてもよく、また、ピストンロッドの断面を非円形とし、後部本体のピストン貫通穴をこの形状に従ったものとすると共に、ピストンロッドの後退位置においてピストン貫通穴内に位置するピストンロッドの断面をピストン貫通穴内でのピストンロッドの回転を許す形状（例えば小径の円）に形成しておき、その位置でピストンロッドを回転（例えば１／４回転）して貫通穴の非円形の断面形状とこれより後方のピストンロッドの断面形状とに干渉を起こさせることによってもよい。また、後部本体とピストンロッドとを横方向に貫く抜去可能なピンであってもよい。
【００２９】
ホルダーに装填される２室プレフィルドシリンジには、両頭針が取り付けられるものとルアー先のものとが存在するから、ホルダーの前部本体の先端部の形状は、これに合わせてそれぞれのシリンジ形態を前方に脱落不能に固定できるように適宜設計すればよい。通常は、例えば、ホルダーの前部本体の先端付近の内周面がシリンジの先端側の外周縁に噛み合うようにしておけばよい。また、ルアー先のシリンジの場合には、ホルダーの前部本体の先端部には、メスルアーの周囲をねじ止めする方式（ルアーロック方式）に対応できるよう、雌ねじを形成した筒状部を設けておいてもよい。
【実施例】
【００３０】
以下、典型的な実施例を参照して本発明を更に具体的に説明するが、本発明が実施例に限定されることは意図しない。
【００３１】
〔実施例１〕
図３は実施例１のホルダーの透明な樹脂により成形された概略円筒状の前部本体３１とこれに装填されるルアー先の２室式プレフィルドシリンジ２１を示す側面図であり、図において、左方が上方を示す（他の側面図において同じ）。前部本体３１において、３４は側壁に設けられたスロットであり、シリンジ２１を前部本体３１に挿入するときにシリンジ２１の突条６を受け入れる。前部本体３１の胴部の肉厚は、スロット３４内に入った突条６の先端と前部本体３１の胴部の外周面とが等しい高さになるように設定されている。スロット３４の幅は、シリンジ２１を前部本体３１内に挿入したときシリンジ２１の突条６が丁度スロット３４の両側の縁に挟まれて回動不能になるように設定されている。スロット３４には内側へ向かう１対の突起３６、３７が形成されている。シリンジ２１を前部本体３１の奥まで挿入するとき、突起３６、３７の位置で突条６によってスロット３４の幅が僅かに押し広げられるため、突条６は突起３６、３７の間を通過することができるが、シリンジ２１が偶発的に脱落することは防止される。前部本体３１の先端部には、ルアーロック方式に対応できる雌ねじつきの筒状部３９が形成されている。
【００３２】
図４は、シリンジ２１を完全に収納した前部本体３１と、これに後方から螺着される後部本体４０とを示す側面図である。図より明らかなように、スロット３４の突起３６、３７は、前部本体３１内に装填されたシリンジ２１の突条６の後端に接しており、これによりシリンジ２１が前部本体３１から偶発的に抜け落ちるのを阻止している。後部本体４０は、後述のピストンロッドを通すための穴を後端に有し、外周面には、長円形の板状に張り出した突出部よりなる指掛用の鍔部４２が形成されている。
【００３３】
図５は、シリンジ２１を前部本体３１内に収容してその後部に後部本体４０を螺着した状態のホルダーと、雄ねじ４４が形成された短いボルトを先端に備えたピストンロッド４５とを示す側面図である。雄ねじ４４は、後部本体４０の後端の穴を通してシリンジ２１の後側可動壁３のねじ穴（図示せず）に螺着される。
【００３４】
図６は、シリンジ２１をホルダーに装填し、後側可動壁３にピストンロッド４５の雄ねじ４４を螺着した状態の、一部を断面とした注射器の側面図であり、シリンジ２１及びホルダーは、図５に示した位置から軸回りに９０°回転させてある。図に見られるように、シリンジ２１の突条６の先端は、前部本体３１の外周面とフラットになっている。
【００３５】
図６に示した状態からピストンロッド４５を押し込んで後側可動壁３、溶解液１１及び前側可動壁２を前進させ、前側可動壁２が突条６の内側のバイパス溝の範囲内に入った後、後側可動壁３を前側可動壁２に当接するまで押し込んで溶解液１１の全量をバイパス溝を通して前側スペース４内へ送り込み、乾燥薬剤１０を溶解して注射液を調製することにより、図７に示した状態となり、その後は注射針を取り付け、１室式シリンジでの通常の注射と同様にエア抜きの後、患者に針を刺入し図８の状態となるまでピストンロッド４５を押し込むことにより、注射を完了することができる。
【００３６】
〔実施例２〕
図９は、実施例２のホルダーの概略円筒状の前部本体５１とこれに装填されるルアー先の２室式プレフィルドシリンジ２１とを示す側面図である。前部本体５１において、５４は側壁に設けられたスロットであり、シリンジ２１を前部本体５１に挿入するときにシリンジ２１の突条６を受け入れる。前部本体５１の胴部の肉厚は、スロット５４内に入った突条６の先端と前部本体５１の胴部の外周面とが等しい高さとなるように設定されている。スロット５４の幅は、シリンジ２１を前部本体５１に挿入したときシリンジ２１の突条６が丁度スロット５４の両側の縁に挟まれて回動不能になるように設定されている。スロット５４には、実施例１と同様に機能する１対の突起５６、５７が設けられている。
【００３７】
図１０は、シリンジ２１を装填した前部本体５１と、これに後方から螺着される後部本体６０とを示す側面図である。図より明らかなように、スロット５４の突起５６、５７も、実施例１の対応する突起と同様に、前部本体５１内に奥まで挿入されたシリンジ２１の突条６の後端に接しており、これにより組立ての際にシリンジ２１が前部本体５１から偶発的に抜け落ちるのが防止される。特に本実施例では、スロット５４の長手方向に対して突起５６、５７の後側は斜めに、前側は垂直にそれぞれ立ち上がっており、シリンジ２１の挿入に比して抜き取りに一層大きな抵抗を示すように構成されている。後部本体６０にはその後端にある穴７０にピストンロッド６４が通されており、外周面には、長円形の板状に張り出した突出部よりなる指掛用の鍔部６２が形成されている。
【００３８】
図１１は、シリンジ２１を装填した前部本体５１を後部本体６０内へ挿入し始めた状態を示す、一部を断面とした側面図である。図に見られるように、ピストンロッド６４は後退した位置にある。ピストンロッド６４の先端寄りの部分の周囲には、つる巻きばね６６が圧縮された状態で備えられ、ピストンロッド６４を前方へ付勢しているが、ピストンロッド６４は、次に述べるようにして当該位置に固定されている。ピストンロッド６４の先端には雄ねじ６８を有する短いボルトが前方へ突出している。
【００３９】
図１２は、ピストンロッド６４を通している後部本体６０の後端を後部本体６０の内側から見たときの内壁面及び穴７０の形状並びに穴７０より後方にすなわち後部本体６０の外部に位置するピストンロッド６４の部分の断面形状を示す図である。図において（ａ）はピストンロッド６４が固定されているときの状態を、（ｂ）はピストンロッド６４を解放した状態を示す。図（ｂ）に見られるようにピストンロッド６４は、穴７０の後方において、大径部分６４Ｌ及び小径部分６４Ｓより構成されており、この断面形状に沿いこれを収容できるように、穴７０は大径部分７０Ｌ及び小径部分７０Ｓをそれぞれ有している。従って、図（ｂ）の状態ではピストンロッド６４は穴７０を通って自由に前進することができるが、ピストンロッド６４を予め９０°回転させておくことにより、図（ａ）に示すように、ピストンロッド６４の大径部分６４Ｌが穴７０の小径部分７０Ｓの背面に載るため、ピストンロッド６４の前進が阻止され、図１１に示した状態のように、つる巻きばね６６による前方への付勢力を受けたまま、後退位置に留まることができる。穴７０を横断しているピストンロッド６４部分は、小径部分６４Ｓと同径の円形断面を有する。
【００４０】
図１３は、前部本体５１を後部本体６０に挿入して両者を互いに対して回し螺合した状態を示す、一部を断面図とした側面図である。図において、前部本体５１及びシリンジ２１は、図１１に示した状態から軸回りに９０°回転させてある。図１３の状態では、シリンジ２１は後部本体６９の最も奥まで達しており、ピストンロッド６４の先端に備えられた雄ねじ６８を有するボルトは、シリンジ２１の後側可動壁２に設けられた対応するねじ穴に螺合している。この状態でも図１１に示した状態と同様、ピストンロッドは後退位置に固定されており、従ってシリンジ２１内の薬剤は、混合前の状態で維持されている。
【００４１】
図１４は、図１３に示した状態から、キャップ２３を除去し、ピストンロッドを９０°回転させて図１２（ｂ）の状態にすることによって固定を解除し、つる巻きばね６６の力によりピストンロッド６４を前進させた後の状態を示す、一部を断面図とした側面図である。図に見られるとおり、つる巻きばね６６がピストンロッド６４を前方へ押してシリンジ２１の後側可動壁３を前進させ、これにより前側可動壁２を（溶解液を介して）押して前進させて突条６の内側のバイパス溝の長さの範囲内に入らせ、これにより連通したバイパス溝を通して溶解液１１を前側スペース４内に送り込んで薬剤を混合することによって注射液が調製されている。従って、その後は注射針（図示せず）を取り付け、１室式シリンジでの通常の注射と同様に図１５に示したようにエア抜きした、患者に針を刺入しピストンロッド６４を押し込むことにより、注射を完了することができる。
【００４２】
〔実施例３〕
図１６は、ルアー先の２室式プレフィルドシリンジ２１を装填した実施例３のホルダーの前部本体８１と、これに後方から螺着される後部本体９０とを示す側面図である。概略円筒状の前部本体８１において、８４は側壁に設けられたスロットであり、これはシリンジ２１を前部本体８１に挿入するときにシリンジ２１の突条６を受け入れる。前部本体８１の胴部の肉厚は、スロット８４内に入った突条６の先端と前部本体８１の胴部の外周面とが等しい高さとなるように設定されている。スロット８４の幅は、シリンジ２１を前部本体８１に装填したときシリンジ２１の突条６が丁度スロット８４の両側の縁に挟まれて回動不能になるように設定されている。スロット８４には、実施例１と同様に機能する１対の突起８６、８７が設けられている。後部本体９０に通されたピストンロッド９４には、後部本体９０の後方において、つる巻きばね９５が取り付けられている。
【００４３】
図１７は、シリンジ２１を装填した前部本体８１を後部本体９０内へ挿入し始めた状態を示す、一部を断面とした側面図である。図に見られるように、ピストンロッド９４には、更に別のつる巻きばね９６が後部本体９０の内部に取り付けられており、つる巻きばね９５及び９６は、ピストンロッド９４を後部本体９０に対して、それぞれ後方及び前方へ付勢することができ、図に示した状態においてそれぞれ実質的に自然長にり、両者の均衡によりピストンロッド９４は図に示した定位置に保持されている。
【００４４】
図１８は、シリンジ２１を装填した前部本体８１を後部本体９０内へ途中まで挿入した状態を概念的に示す、一部を断面図とした側面図である。図において、前部本体８１及びシリンジ２１は、図１７に示した状態から軸回りに９０°回転させてある。図に見られるように、挿入されるシリンジの後側可動壁３によりピストンロッド９４が押され、つる巻きばね９６が圧縮されて、それによりピストンロッド９４が前方へと付勢され、その結果、後側可動壁３が前方へ押し込まれる。前部本体８１が後部本体９０完全に挿入され螺着されたとき、図１９に示されるように、溶解液は前側スペース内に送り込まれておりそこで乾燥薬剤１０と混合して注射液が調製された状態となる。従って、その後は注射針を取り付け、１室式シリンジでの通常の注射と同様にエア抜きした後、患者に針を刺入しピストンロッド９４を押し込むことにより、注射を完了することができる。
【産業上の利用可能性】
【００４５】
本発明によれば、２室式プレフィルドシリンジを用いた注射において、注射器を構成するホルダーの胴周りの外径の増大を抑制して操作性の改善された注射器を提供することができる。またばねを備えることによって、２室式プレフィルドシリンジをホルダーに装填してシリンジ内での薬剤の混合による注射液の調製を自動的に行わせることができるため、常に適正に注射液が調製されることを保障すると共に、更にストッパー手段を供えることにより、緊急時における迅速な注射を容易にする注射器も提供することができる。
【図面の簡単な説明】
【００４６】
【図１】２室式プレフィルドシリンジの一例の側面図
【図２】２室式プレフィルドシリンジの別の一例の側面図
【図３】実施例１のホルダーの前部本体とこれに装填される２室式プレフィルドシリンジと示す側面図
【図４】２室式プレフィルドシリンジを装填した前部本体と、これに後方から螺着される後部本体とを示す側面図
【図５】２室式プレフィルドシリンジを前部本体内に装填して後部本体を螺着した状態の実施例１のホルダーと、ピストンロッドとを示す側面図
【図６】２室式プレフィルドシリンジをホルダーに装填し、後側可動壁にピストンロッドを螺着した状態の、一部を断面とした注射器の側面図
【図７】乾燥薬剤を溶解して注射液を調製した状態を示す、一部を断面図とした注射器の側面図
【図８】注射を完了した状態を示す、一部を断面図とした注射器の側面図
【図９】実施例２のホルダーとこれに装填される２室式プレフィルドシリンジとを示す側面図
【図１０】２室式プレフィルドシリンジを装填した前部本体と、これに後方から羅着される後部本体とを示す側面図
【図１１】２室式プレフィルドシリンジを装填した前部本体を後部本体内へ挿入し始めた状態を示す一部を断面とした側面図
【図１２】内側から見たときの後部本体の後端内壁面及び穴形状及び後方に位置するピストンロッド部分の断面形状を示す図
【図１３】前部本体を後部本体に挿入して両者を螺合した状態を示す、一部を断面図とした側面図
【図１４】ピストンロッドの固定を解除し、つる巻きばねの力によりピストンロッドを前進させた後の状態を示す、一部を断面図とした側面図
【図１５】エア抜きした状態を示す注射器の一部を断面図とした側面図
【図１６】２室式プレフィルドシリンジを装填した実施例３のホルダーの前部本体と、これに後方から螺着される後部本体とを示す側面図
【図１７】２室式プレフィルドシリンジを装填した前部本体を後部本体内へ挿入し始めた状態を示す、一部を断面とした側面図
【図１８】２室式プレフィルドシリンジを装填した前部本体を後部本体内へ途中まで挿入した状態を概念的に示す、一部を断面図とした側面図
【図１９】注射液の調製が完了した状態の実施例３の注射器の、一部を断面図とした側面図
【符号の説明】
【００４７】
１＝２室式プレフィルドシリンジ、２＝前側可動壁、３＝後側可動壁、４＝前側スペース、５＝後側スペース、６＝突条、１０＝乾燥薬剤、１１＝溶解液、１５＝両頭針、１６＝保護キャップ、２２＝オスルアー、２３＝キャップ、３１＝前部本体、３４＝スロット、３６、３７＝突起、３９＝筒状部、４２＝鍔部、４４＝雄ねじ、４５＝ピストンロッド、５１＝前部本体、５４＝スロット、５６、５７＝突起、６０＝後部本体、６２＝鍔部、６４＝ピストンロッド、６４Ｌ＝大径部分、６４Ｓ＝小径部分、６６＝つる巻きばね、６８＝雄ねじ、７０＝穴、７０Ｌ＝大径部分、７０Ｓ＝小径部分、８１＝前部本体、９０＝後部本体、８４＝スロット、８６、８７＝突起、９０＝後部本体、９４＝ピストンロッド、９５、９６＝つる巻きばね
【図１】
2007312804.tif 000003
【図２】
2007312804.tif 000004
【図３】
2007312804.tif 000005
【図４】
2007312804.tif 000006
【図５】
2007312804.tif 000007
【図６】
2007312804.tif 000008
【図７】
2007312804.tif 000009
【図８】
2007312804.tif 000010
【図９】
2007312804.tif 000011
【図１０】
2007312804.tif 000012
【図１１】
2007312804.tif 000013
【図１２】
2007312804.tif 000014
【図１３】
2007312804.tif 000015
【図１４】
2007312804.tif 000016
【図１５】
2007312804.tif 000017
【図１６】
2007312804.tif 000018
【図１７】
2007312804.tif 000019
【図１８】
2007312804.tif 000020
【図１９】
2007312804.tif 000021